(57)【要約】      （修正有）【課題】 簡素な１個の容器で少なくとも１日分の服薬を各回に個別に保管し、その日の服用の状態を管理、確認することが必然的に繰り返し継続して行うことができるようにする。【解決手段】容器本体１内に複数の収納部を備えた回転容器２を内蔵し、該回転容器を前記容器本体内の下部に備えた支軸と、該容器本体上部に取着した回転台３の底面に備えた支軸とで軸支し、前記回転台は、該底面に対して傾斜角度を設けた回転板受け面３４に表示部３７と支軸３２とを備え、該支軸に一向にのみ回転可能とする回転板４を軸支し、前記底面と回転板受け面との間に前記回転容器の開口部２２に連結する貫通孔３３を備え、前記回転板の周縁部に表示部４２と開口部４３とを配置して前記回転容器に回転運動を伝動し、該回転板を回転させて前記回転台の貫通孔を開閉すると共に、該回転板の表示部は関連情報を表示する。【選択図】図２
2015229093.tif 000002
【特許請求の範囲】
【請求項１】
容器本体は、該容器本体の内部に回転可能に取着した回転容器と、
前記容器本体上部の回転台に軸支する回転板と、
から形成され、
前記回転容器の開閉機構と、
表示機構と、
を構成し、
前記回転容器は、前記回転板の回転運動を伝動することにより回転可能とすることで、
前記容器本体は、前記回転板を回転させることで前記回転容器の開口部を開閉すると共に、関連情報を表示することを特徴とする服用管理容器。
【請求項２】
前記回転台は、前記回転容器の開口部に連結する挿通孔を備え、
回転板受け面は、底面に対して傾斜角度を設けたことを特徴とする請求項１記載の服用管理容器。
【請求項３】
前記回転容器は、少なくとも３箇所の収納部を備えたことを特徴とする請求項１記載の服用管理容器。
【発明の詳細な説明】
【技術分野】
【０００１】
本発明は、ＰＴＰシートの錠剤をシートから直接容器に取り出して保存し、服用の状態を管理することができる服用管理容器に関する。
【背景技術】
【０００２】
従来から、医師により処方された数種類のＰＴＰシートの錠剤を一日三回毎日繰り返すとなると、飲み忘れや飲んだことを忘れて誤飲することは多々あることで、自己管理で行うにはそれなりの確認手段を必要とする。
【０００３】
そこで、特許文献１には、錠剤を取り出し収納する４本の容器と、そのキャップを４色に色分けして薬の服用を管理する技術が提案されている。しかし、錠剤の取り込みやキャップの取り付けなどの取り扱い中に様々な事故が発生する可能性が考えられる。
【０００４】
また、特許文献２には、１日分又は管理サイクル分の薬を服用する回数に分けて収納でき携帯性、密閉性、簡単操作性を有する薬の携帯用器という技術が提案されている。しかし、棒状のペンなどの疑似形状から成るキャップおよびケース本体の収納部に分かれた容器であって、ケース本体は１日分又は管理サイクル分の服用回数分に分けて構成したものであり上記同様に取り扱い中に様々な事故が発生する可能性が考えられる。
【０００５】
また、特許文献３には、薬品を服用目的に応じて仕分けすることにより、誤仕分け、誤服用を避けるための薬品容器としての技術が提案されている。しかし、底部を有する中空体容器であって、前記中空体容器に嵌合する蓋部を有し、中空体容器の中に複数個の底部を有する中空体容器があって、嵌合する蓋部を有する筒部を収納した薬品容器という技術であるが、単に容器の中に小分けした容器を収納したものである。
【０００６】
さらに、特許文献４には、パッケージに入っている錠剤を飛ばしたり落としたりすることなく衛生的で、簡単に何個も何種類も取り出し飲んだりできる錠剤の取り出し具の技術が提案されている。しかし、上部が開口した錠剤受け取容器の上部に、該錠剤受け取容器上に載置したパッケージ入り錠剤を押出す押出し部材を、バネ片を介して取り付けた錠剤の取り出し具とあるが単に錠剤を取り出すための用具である。
【０００７】
さらにまた、特許文献５には、任意の薬室を取り出し口に位置するように薬収納回転体を回転させ、開閉扉を開いて薬を取り出すことが出来る薬箱の技術が提案されている。しかし、任意の薬室から薬を取り出すことが出来てもその服用の状態を管理することが出来ない。
【０００８】
また、特許文献６には、薬の飲み忘れや勘違いによる二重服用などを防止するようにした薬供給装置として、当日分に服用すべき薬保持体だけを一日一回順次取り出し可能な開放部に移動させ、その他の薬保自体は目に触れない箇所に隠すようにした薬供給装置という技術が提案されている。しかし、保存する薬は一日分用意すればよく保存容器は出来るだけ小型化し、服用と服薬の保管というサイクルを順次繰り返えし行われることが望まれる。
【０００９】
しかし、いずれも簡素な容器ではあるが容器と管理具がそれぞれ個別に構成されており取り扱い中に様々な事故が発生する可能性が考えられ、毎日繰り返し服用する管理用具としては不十分なものであった。
【先行技術文献】
【特許文献】
【００１０】
【特許文献１】特開２０１０−１３２３４６号公報
【特許文献２】特開２００６−２３９３２８号公報
【特許文献３】実開平７−０２７５８３号公報
【特許文献４】特開平０６−１２５９６７号公報
【特許文献５】特開２００３−２１０５５１号公報
【特許文献６】特開２００４−４８９号公報
【発明の概要】
【発明が解決しようとする課題】
【００１１】
解決しようとする問題点は、簡素な１個の容器で少なくとも１日分の服薬を各回に個別に保管し、その日の服用の状態を管理することが必然的に繰り返し継続して行えることが望まれる。
【課題を解決するための手段】
【００１２】
本発明の服用管理容器は、１個の容器でＰＴＰシートの錠剤を直接容器に取り出すことができて、各回の服薬を順次用意しながら順次服用を繰り返すことが必然的にできて、少なくとも１日の服用の状態を管理し、その状態を確認することができることを最も主要な特徴とする。
【００１３】
上述した課題を解決するために構成された本発明の手段は、容器本体は、該容器本体の内部に回転可能に取着した回転容器と、
前記容器本体上部の回転台に軸支する回転板と、
から形成され、
前記回転容器の開閉機構と、
表示機構と、
を構成し、
前記回転容器は、前記回転板の回転運動を伝動することにより回転可能とすることで、
前記容器本体は、前記回転板を回転させることで前記回転容器の開口部を開閉すると共に、関連情報を表示するようにするとよい。
【００１４】
前記回転台は、前記回転容器の開口部に連結する挿通孔を備え、
回転板受け面は、該回転台の底面に対して傾斜角度を設けるとよい。
【００１５】
前記回転容器は、少なくとも３箇所の収納部を備えるとよい。
【発明の効果】
【００１６】
本発明は、上述の如く構成したから、下記の諸効果を奏する。
（１）容器本体は、該容器本体の内部に回転可能に取着した回転容器と、
前記容器本体上部の回転台に軸支する回転板と、
から形成され、
前記回転容器の開閉機構と、
表示機構と、
を構成し、
前記回転容器は、前記回転板の回転運動を伝動することにより回転可能とすることで、
前記容器本体は、前記回転板を回転させることで前記回転容器の開口部を開閉すると共に、関連情報を表示するようにしたので、ひとつの容器で錠剤の保存と服用の管理を可能とした。
（２）前記回転台の回転板受け面は、回転台の底面に対して傾斜角度を設けることで、ＰＴＰシートから錠剤を取り出しやすく、また、回転板を回転させやすい角度に設けることが出来る
（３）前記回転容器は、少なくとも３箇所の収納部を備えることで、朝昼夜の３回分の服薬を順次服用しながら次回の服薬を取り入れ保管するというサイクルが必然的に行うことが出来る。
【図面の簡単な説明】
【００１７】
【図１】図１は服用管理容器の斜視図である。
【図２】図２は服用管理容器の各部の展開を示す斜視図である。
【図３】図３は服用管理容器の縦断面図である。
【発明を実施するための形態】
【００１８】
容器本体の内部に回転可能に回転容器を備え、該回転容器は容器本体上部の回転台に軸支する回転板を回転させることにより回転可能とし、回転台に回転容器の開口部に連結する挿通孔を備え、回転板には該挿通孔の開口部と表示部とを備えることで、回転板を回転させることにより回転容器の開口部を開閉すると共に、関連情報を表示するようにして課題を解決した。
【実施例】
【００１９】
以下、本発明の実施の形態を図面に基づき詳述する。図１は服用管理容器の斜視図であり、図において１は容器本体であって、３は回転台である。４は回転板であって、５は回転板カバーである。回転板カバー５は表示開口５１と、取り出し開口５２とを備え、回転台３の回転板支軸３２を回転板４の軸通孔４１に嵌め込んで回転板カバー５をかぶせ固定ネジ５４でしっかりと固定する。
【００２０】
本発明の服用管理容器の使用方法は、ＰＴＰシートを、回転板カバー５を置き台として取り出し開口５２に錠剤部分を合わせて上から押し出し、１回分の服薬を回転容器２に収納する。たとえば、今回の服用が朝の場合、回転板カバー５の表示開口５１は朝を表示し、取り出し開口５２は朝の逆さ表示の閉鎖状態である。回転板４を１コマ回転させて回転板の開口４３で取り出し開口５２を開口し、容器本体１を傾けて錠剤を取り出し朝の服用を済ませ、次回の朝の錠剤を収納して１コマ回転させて取り出し開口５２は昼の逆さ表示の閉鎖状態とすると共に、表示開口５１は次回の昼を表示する。なお、回転板４は表示部４２と開口４３を朝、開口、昼、開口、夜、開口、朝、開口・・・・・の順に回転させるので取り出し開口５２に於いて表示する文字は逆さ表示であって開口部は閉鎖状態となる。
【００２１】
回転板４はストッパー凸部５６と、回転板カバーのストッパー凹部６３とで１コマ回転を一時的に区切り、同時に逆回転不能とすることで順次服用しながら次回の服薬を取り込んで保管することが必然的に行うことができるので、確実に服用の状態を管理することも確認することも出来る。なお、ストッパー凸部５６及びストッパー凹部６３の形状は球の４分の１形状として回転方向を丸形とし、他の一方を平面として逆回転不能とし、１コマ回転に支障がない程度の凹凸で形成する。
【００２２】
図２は服用管理容器の各部の展開を示す斜視図であり、図において１は容器本体であって、２は回転容器である。回転容器２は３箇所の収納部２５とその開口２２・・を備え、回転容器の軸受け２１は容器本体の回転容器の支軸１１と、回転台３の回転容器の支軸３１とに軸支して回転可能とする。なお、回転容器２の収納部は３箇所に限定するものではない。
【００２３】
そして、回転リングの上端部２３を粗面に形成し、回転板４の裏面の外縁部４４も粗面に形成して密着状態に接触させ、回転板４の回転運動を回転容器２に伝動する。回転板４は朝、昼、夜の文字を表示する表示部４２・・・・・と、挿通孔３３を開閉する開口４３・・・・・を備える。なお、接触する面の一方にゴムなどの弾性体をベルト状に張ることも、また、双方に歯形を形成して噛み合わせることも可能である。
【００２４】
また、取り出し開口５２の開閉状態を、回転台３の表示部３７を赤などのカラー表示にすることで取り出し開口５２が開口の状態であることを表示開口５１で知らせることも出来る。
【００２５】
回転台３は回転容器２の開口２２・・に連結する挿通孔３３と表示部３７を備え、底面３５に回転容器の支軸３１と、回転板受け面３４に回転板支軸３２を備える。該回転板支軸３２の外部形状は回転板の軸通孔４１を挿通して回転可能とする円形とし、内部形状は回転板カバーの支軸５３を嵌め込む角型とすることで回転板カバー５を回転不能に固定し、その中心部を貫通して回転台に設けた雌ネジ部５５に固定ネジ５４をねじ込むことにより回転板カバー５をしっかりと固定する。なお、これらの軸部及び軸受部及びネジ部は必要に応じて金属加工することが好ましい。
【００２６】
回転台３の回転板受け面３４は底面３５に対して２０度〜３０度の勾配を設けることが好ましく、最も好ましくは３５度〜４５度程度の勾配を設けることがＰＴＰシートから錠剤を取り出しやすく、また、表示が見やすく好ましい。
【００２７】
図３は服用管理容器の縦断面図であり、図において１は容器本体であって、２は回転容器である。容器本体１は内部底面の中心部に設けた回転容器の軸受け２１と、回転台３を上部に嵌め込み固定する回転台ストッパー６１と、リングストッパー６に合わせてかぶせるようにして嵌め込み、時計回りに５mm〜１０mm位回転させることでしっかりと固定できるように形成する。
【００２８】
リングストッパー６は回転リング２４と、回転板４とにズレが生じた際にリングストッパー６をストッパー挿通孔６２に押し込んで回転リング２４を固定してズレを調整する部分でもある。
【００２９】
回転台３は底面３５に回転容器の支軸３１と、回転容器２の開口部２２に連結する挿通孔３３を回転板受け面３４に貫通するように備え、回転板受け面３４には回転板支軸３２と、回転板カバーの固定ネジ５４の雌ネジ部５５を備える。
【００３０】
回転板４は回転板支軸３２に軸支する軸通孔４１と、表示部４２と挿通孔３３を開閉する開口４３とを備え、周縁部にはストッパー凸部５６を設ける。
【００３１】
回転板カバー５は固定ネジ受け部５７と、表示開口５１と取り出し開口５２とを備え、回転板カバーの裏面には回転板の軸通孔４１に軸通する回転板カバーの支軸５３と、ストッパー凹部６３を設ける。そして、其々の支軸の中心を一本に通して回転板の外縁部４４と回転リングの上端部２３がしっかりと接触する部分７において、回転板の回転運動を回転容器２に伝動するようにして回転板カバーの固定ネジ５４でしっかりと固定する。
【符号の説明】
【００３２】
１、  容器本体
１１  回転容器の支軸
２    回転容器
２１  回転容器の軸受け
２２  回転容器の開口
２３  回転リングの上端部
２４  回転リング
３    回転台
３１  回転容器の支軸
３２  回転板支軸
３３  回転台の挿通孔
３７  表示部
４    回転板
４１  回転板の軸通孔
４２  回転板の表示部
４３  回転板の開口
５    回転板カバー
５１  回転板カバーの表示開口
５２  回転板カバーの取り出し開口
５３  回転板カバーの支軸
５４  回転板カバーの固定ネジ
５６  回転板のストッパー凸部
６    リングストッパー
６２  ストッパー挿通孔
６３  回転板カバーのストッパー凹部
【図１】
2015229093.tif 000003
【図２】
2015229093.tif 000004
【図３】
2015229093.tif 000005
【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
錠剤を保管して服用の状態を管理する容器において、容器本体内に複数の収納部を備えた回転容器を内蔵し、該回転容器を前記容器本体内の下部に備えた支軸と、該容器本体上部に取着した回転台の底面に備えた支軸とで軸支し、
前記回転台は、前記底面に対して傾斜角度を設けた回転板受け面に、表示部と支軸とを備え、さらに、前記底面と回転板受け面との間に、前記回転容器の開口部に連結する貫通孔を備え、前記回転板受け面の支軸に、一方向にのみ回転可能とする回転板を軸支し、該回転板を軸支した支軸に、表示開口と前記貫通孔の取り出し開口とを備えた回転板カバーを取着し、
前記回転板は、該回転板の周縁部に表示部と開口部とを交互に連続して配置し、該回転板の裏面の周縁端部と前記回転容器の開口周縁部の上面とを係合して回転運動を伝動し、前記回転台の貫通孔を開閉すると共に、表示部の関連情報を表示することを特徴とする服用管理容器。
【請求項２】
回転板の一方の開口部は、回転台の貫通孔を開口して回転容器の開口部に連結すると共に、
対向する他方の開口部は、回転台に備えた表示部の関連情報を表示し、
前記回転板の表示部は、前記回転台の貫通孔を閉鎖すると共に、回転板カバーの表示開口と貫通孔の取り出し開口とに関連情報を表示することを特徴とする請求項１記載の服用管理容器。
【手続補正２】
【補正対象書類名】明細書
【補正対象項目名】００１３
【補正方法】変更
【補正の内容】
【００１３】
上述した課題を解決するために構成された本発明の解決手段は、錠剤を保管して服用の状態を管理する容器において、容器本体内に複数の収納部を備えた回転容器を内蔵し、該回転容器を前記容器本体内の下部に備えた支軸と、該容器本体上部に取着した回転台の底面に備えた支軸とで軸支し、
前記回転台は、前記底面に対して傾斜角度を設けた回転板受け面に、表示部と支軸とを備え、さらに、前記底面と回転板受け面との間に、前記回転容器の開口部に連結する貫通孔を備え、前記回転板受け面の支軸に、一方向にのみ回転可能とする回転板を軸支し、該回転板を軸支した支軸に、表示開口と前記貫通孔の取り出し開口とを備えた回転板カバーを取着し、
前記回転板は、該回転板の周縁部に表示部と開口部とを交互に連続して配置し、該回転板の裏面の周縁端部と前記回転容器の開口周縁部の上面とを係合して回転運動を伝動し、前記回転台の貫通孔を開閉すると共に、表示部の関連情報を表示するとよい。なお、本明細書において、挿通孔を貫通孔として変更し、挿通する、を貫通すると変更する。
【手続補正３】
【補正対象書類名】明細書
【補正対象項目名】００１４
【補正方法】変更
【補正の内容】
【００１４】
回転板の一方の開口部は、回転台の貫通孔を開口して回転容器の開口部に連結すると共に、
対向する他方の開口部は、回転台に備えた表示部の関連情報を表示し、
前記回転板の表示部は、前記回転台の貫通孔を閉鎖すると共に、回転板カバーの表示開口と貫通孔の取り出し開口とに関連情報を表示するとよい。